(57)【特許請求の範囲】
【請求項１】
金属製の側壁を有する箱形の枠体と、この枠体内に配設された回路基板と、前記枠体の開放部を覆うように前記側壁に取り付けられた金属製のカバーとを備え、前記カバーは、前記開放部を覆う平板状部と、この平板状部から折り曲げられ、前記側壁に設けられた係止部に掛け止めされる掛け止め部とを有し、前記平板状部と前記側壁の端面とが対向する位置において、前記平板状部から突出する１個、或いは複数個の凸部が設けられ、前記掛け止め部が前記係止部に掛け止めされた際、前記凸部の先端部が前記側壁の前記端面に当接するチューナユニットであって、前記凸部は、前記平板状部に設けられた突き出し部で形成され、該突き出し部が前記側壁の前記端面に当接すると共に、前記平板状部は、前記側壁に近い位置で、前記側壁に沿って設けられたリム部を有し、このリム部と前記掛け止め部との間に位置する前記平板状部に前記突き出し部が設けられたことを特徴とするチューナユニット。
【請求項２】
前記回路基板には発振回路が設けられ、前記発振回路の近傍に位置する前記側壁の前記端面と対向する前記平板状部に前記凸部が設けられたことを特徴とする請求項１記載のチューナユニット。
【請求項３】
前記突き出し部は、前記側壁に対して直交する方向に延びる凸条部によって構成されたことを特徴とする請求項１，又は２記載のチューナユニット。
【請求項４】
前記突き出し部は、前記側壁と同方向に延びる凸条部によって構成されたことを特徴とする請求項１、又は２記載のチューナユニット。
【発明の詳細な説明】
【０００１】
【発明の属する技術分野】
本発明はテレビチューナ等に使用して好適なチューナユニットに関する。
【０００２】
【従来の技術】
従来のチューナユニットの図面を説明すると、図６は従来のチューナユニットの平面図、図７は従来のチューナユニットに係り、カバーの一部を切り欠いた平面図、図８は図６の８−８線における拡大断面図である。
【０００３】
次に、従来のチューナユニットの構成を図６〜図８に基づいて説明すると、箱形の枠体５１は、口字状に配置された金属製の側壁５２によって形成され、側壁５２の端面５２ａ、５２ｂ側には、開放部５１ａ、５１ｂが設けられている。
また、４つの側壁５２には、それぞれ開放部５１ａ、５１ｂ側に位置し、端面５２ａ、５２ｂ方向に沿って外方に突出する係止部５２ｃ、５２ｄが設けられている。
【０００４】
更に、対向する一対の側壁５２には、下方に突出した一対の取付脚５２ｅが設けられると共に、一つの側壁５２には、互いに間隔を置いて入力用同軸コネクタ５３と出力用同軸コネクタ５４が取り付けられている。
枠体５１内には、シールド板５５が取り付けられて、枠体５１内が複数個の区画室に区画されている。
【０００５】
回路基板５６は、一面側に設けられた配線パターン（図示せず）に搭載された抵抗、コンデンサ等のチップ部品５７と、他面側に配置されたコイル等の電気部品５８で構成され、この回路基板５６には、発信回路５９ａを含むＲＦ同調回路等の複数の電気回路５９が形成されている。
【０００６】
また、この回路基板５６は、枠体５１内に配置された状態で、側壁５２に取り付けられ、回路基板５６が取り付けられた際、発信回路５９ａを含む複数個の電気回路５９間がシールド板５５によって区画された状態になると共に、回路基板５６の端子部５６ａが枠体５１から外方に突出した状態になる。
【０００７】
金属板からなる第１，第２カバー６０，６１は、それぞれ矩形状の平板状部６０ａ、６１ａと、平板状部６０ａ、６１ａの４つの側辺から折り曲げされた掛け止め部６０ｂ、６１ｂとを有する。
そして、第１カバー６０は、平板状部６０ａで開放部５１ａを覆うよにして、掛け止め部６０ｂを係止部５２ｃに掛け止めして、側壁５２に取り付けられる。
【０００８】
また、第２カバー６１は、平板状部６１ａで開放部５１ｂを覆うよにして、掛け止め部６１ｂを係止部５２ｄに掛け止めして、側壁５２に取り付けられる。
そして、第１，第２カバー６０，６１が取り付けられた際、図８に示すように、加工寸法のバラツキによって、特に、発振回路５９ａの近傍に位置する側壁５２の端面５２ａ、５２ｂと、第１，第２カバー６０，６１の平板状部６０ａ、６１ａとの間で、不接触、或いは接触不安定になる。
【０００９】
【発明が解決しようとする課題】
従来のチューナユニットは、カバー６０が側壁５２に取り付けられた際、加工寸法のバラツキにより、カバー６０の平板状部６０ａと側壁５２の端面５２ａとの間で、不接触、或いは接触不安定となり、振動によってノイズを発生したり、或いはラジエーション（電波の放射）を起こすという問題がある。
そして、特に、発振回路５９ａの箇所において、ラジエーションが多くなるという問題がある。
【００１０】
そこで、本発明は振動によるノイズが少なく、且つ、ラジエーションの少ないチューナユニットを提供することを目的とする。
【００１１】
【課題を解決するための手段】
上記課題を解決するための第１の解決手段として、金属製の側壁を有する箱形の枠体と、この枠体内に配設された回路基板と、前記枠体の開放部を覆うように前記側壁に取り付けられた金属製のカバーとを備え、前記カバーは、前記開放部を覆う平板状部と、この平板状部から折り曲げられ、前記側壁に設けられた係止部に掛け止めされる掛け止め部とを有し、前記平板状部と前記側壁の端面とが対向する位置において、前記平板状部から突出する１個、或いは複数個の凸部が設けられ、前記掛け止め部が前記係止部に掛け止めされた際、前記凸部の先端部が前記側壁の前記端面に当接するチューナユニットであって、前記凸部は、前記平板状部に設けられた突き出し部で形成され、該突き出し部が前記側壁の前記端面に当接すると共に、前記平板状部は、前記側壁に近い位置で、前記側壁に沿って設けられたリム部を有し、このリム部と前記掛け止め部との間に位置する前記平板状部に前記突き出し部が設けられた構成とした。
【００１２】
また、第２の解決手段として、前記回路基板には発振回路が設けられ、前記発振回路の近傍に位置する前記側壁の前記端面と対向する前記平板状部に前記凸部が設けられた構成とした。
【００１４】
また、第３の解決手段として、前記突き出し部は、前記側壁に対して直交する方向に延びる凸条部によって構成された。
また、第４の解決手段として、前記突き出し部は、前記側壁と同方向に延びる凸条部によって構成された。
【００１５】
【発明の実施の形態】
本発明のチューナユニットの図面を説明すると、図１は本発明のチューナユニットの平面図、図２は本発明のチューナユニットに係り、カバーの一部を切り欠いた平面図、図３は図１の３−３線における拡大断面図、図４は本発明のチューナユニットに係り、カバーに設けた突き出し部の第１実施例を示す要部の斜視図、図５は本発明のチューナユニットに係り、カバーに設けた突き出し部の第２実施例を示す要部の斜視図である。
【００１６】
次に、本発明のチューナユニットの構成を図１〜図５に基づいて説明すると、箱形の枠体１は、口字状に配置された金属製の側壁２によって形成され、側壁２の端面２ａ、２ｂ側には、開放部１ａ、１ｂが設けられている。
また、４つの側壁２には、それぞれ開放部１ａ、１ｂ側に位置し、端面２ａ、２ｂ方向に沿って外方に突出する係止部２ｃ、２ｄが設けられている。
【００１７】
更に、対向する一対の側壁２には、下方に突出した一対の取付脚２ｅが設けられると共に、一つの側壁２には、互いに間隔を置いて入力用同軸コネクタ３と出力用同軸コネクタ４が取り付けられている。
枠体１内には、シールド板５が取り付けられて、枠体１内が複数個の区画室に区画されている。
【００１８】
回路基板６は、一面側に設けられた配線パターン（図示せず）に搭載された抵抗、コンデンサ等のチップ部品７と、他面側に配置されたコイル等の電気部品８で構成され、この回路基板６には、発信回路９ａを含むＲＦ同調回路等の複数の電気回路９が形成されている。
【００１９】
また、この回路基板６は、枠体１内に配置された状態で、側壁２に取り付けられ、回路基板６が取り付けられた際、発信回路９ａを含む複数個の電気回路９間がシールド板５によって区画された状態になると共に、回路基板６の端子部６ａが枠体１から外方に突出した状態になる。
【００２０】
金属板からなる第１，第２カバー１０，１１は、それぞれ矩形状の平板状部１０ａ、１１ａと、平板状部１０ａ、１１ａの４つの側辺から折り曲げされた掛け止め部１０ｂ、１１ｂと、４つのそれぞれの側辺に沿って設けられたリム部１０ｃ、１１ｃと、リム部１０ｃ、１１ｃと掛け止め部１０ｂ、１１ｂとの間に位置する平板状部１０ａ、１１ａに設けられ、突き出し部によって形成された凸条部からなる複数個の凸部１０ｄ、１１ｄとを有する。
【００２１】
そして、この凸部１０ｄ、１１ｄは、図４に示すように、先端部が丸みおびた蒲鉾状、或いは図５に示すように、先端部が尖った三角錐状で形成されている。
なお、この凸部１０ｄ、１１ｄは、蒲鉾状、或いは三角錐状以外の形状で構成しても良い。
【００２２】
そして、第１カバー１０は、平板状部１０ａで開放部１ａを覆うよにして、掛け止め部１０ｂを係止部２ｃに掛け止めして、側壁２に取り付けられる。
この時、図３に示すように、凸部１０ｄの先端部が発振回路９ａの近傍に位置する側壁２の端面２ａに当接した状態となる。
【００２３】
また、第２カバー１１は、平板状部１１ａで開放部１ｂを覆うよにして、掛け止め部１１ｂを係止部２ｄに掛け止めして、側壁２に取り付けられる。
この時、図３に示すように、凸部１１ｄの先端部が発振回路９ａの近傍に位置する側壁２の端面２ｂに当接した状態となる。
【００２４】
そして、第１，第２カバー１０，１１が取り付けられた際、図３に示すように、第１，第２カバー１０，１１には、凸部１０ｄ、１１ｄが設けられているため、加工寸法に若干のバラツキがあっても、凸部１０ｄ、１１ｄが発振回路９ａの近傍に位置する側壁２の端面２ａ、２ｂに確実に接触する。
【００２５】
なお、突き出し部によって形成された凸条部からなる凸部１０ｄ、１１ｄは、側壁２に対して直交する方向に延びて構成されても良く、また、突き出し部によって形成された凸条部からなる凸部１０ｄ、１１ｄは、側壁２と同方向に延びて構成されても良い。
【００２６】
また、枠体１は、両側に開放部１ａ、１ｂを設けたもので説明したが、一方のみに開放部を設けたものでも良い。
【００２７】
【発明の効果】
本発明のチューナユニットは、金属製の側壁を有する箱形の枠体と、この枠体内に配設された回路基板と、枠体の開放部を覆うように側壁に取り付けられた金属製のカバーとを備え、カバーは、開放部を覆う平板状部と、この平板状部から折り曲げられ、側壁に設けられた係止部に掛け止めされる掛け止め部とを有し、平板状部と側壁の端面とが対向する位置において、平板状部から突出する１個、或いは複数個の凸部が設けられ、掛け止め部が係止部に掛け止めされた際、凸部の先端部が側壁の端面に当接したため、カバーと側壁の接触が確実となり、従来に比して、振動によるノイズが少なくなる。
また、側壁とカバーとの間の接触が確実であるため、ラジエーションの少ないチューナユニットを提供できる。
【００２８】
また、回路基板には発振回路が設けられ、発振回路の近傍に位置する側壁の端面と対向する平板状部に凸部が設けられたため、発信回路の近傍における側壁とカバーとの間の接触が確実となり、特に、発信回路におけるラジエーションの少ないチューナユニットを提供できる。
【００２９】
また、凸部は、平板状部に設けられた突き出し部で形成され、掛け止め部が係止部に掛け止めされた際、突き出し部が側壁の端面に当接したため、その構成が簡単で、安価で、接触の確実なものが得られる。
【００３０】
また、平板状部は、側壁に近い位置で、側壁に沿って設けられたリム部を有し、このリム部と掛け止め部との間に位置する平板状部に突き出し部が設けられたため、平板状部の曲がりが少なくできて、突き出し部の端面への接触の確実なものが得られる。
【００３１】
また、突き出し部は、側壁に対して直交する方向に延びる凸条部によって構成されたため、その構成が簡単で、安価で、接触の確実なものが得られる。
【００３２】
また、突き出し部は、側壁と同方向に延びる凸条部によって構成されたため、その構成が簡単で、安価で、接触の確実なものが得られる。
【図面の簡単な説明】
【図１】本発明のチューナユニットの平面図。
【図２】本発明のチューナユニットに係り、カバーの一部を切り欠いた平面図。
【図３】図１の３−３線における拡大断面図。
【図４】本発明のチューナユニットに係り、カバーに設けた突き出し部の第１実施例を示す要部の斜視図。
【図５】本発明のチューナユニットに係り、カバーに設けた突き出し部の第２実施例を示す要部の斜視図。
【図６】従来のチューナユニットの平面図。
【図７】従来のチューナユニットに係り、カバーの一部を切り欠いた平面図。
【図８】図６の８−８線における拡大断面図。
【符号の説明】
１  枠体
１ａ  開放部
１ｂ  開放部
２  側壁
２ａ  端面
２ｂ  端面
２ｃ  係止部
２ｄ  係止部
２ｅ  取付脚
３  入力用同軸コネクタ
４  出力用同軸コネクタ
５  シールド板
６  回路基板
６ａ  端子部
７  チップ部品
８  電気部品
９  電気回路
９ａ  発振回路
１０  第１カバー
１０ａ  平板状部
１０ｂ  掛け止め部
１０ｃ  リム部
１０ｄ  凸部（突き出し部、凸条部）
１１  第２カバー
１１ａ  平板状部
１１ｂ  掛け止め部
１１ｃ  リム部
１１ｄ  凸部（突き出し部、凸条部）
【図１】
0003942418.tif 000002
【図２】
0003942418.tif 000003
【図３】
0003942418.tif 000004
【図４】
0003942418.tif 000005
【図５】
0003942418.tif 000006
【図６】
0003942418.tif 000007
【図７】
0003942418.tif 000008
【図８】
0003942418.tif 000009